(57)【要約】【課題】噴射ノズル１の本体４に複数の噴射孔５が形成され、本体４は金属製であり、洗浄水が本体４内に供給され、噴射孔５から噴射され、その噴射力によって噴射ノズル１が推進する管内洗浄装置において、下水管または配水管内に補修部分があり、噴射ノズル１が補修部分に衝突しても、その衝撃が小さく、補修部分が損傷せず、噴射ノズル１を推進させるとき、その推進速度が高く、作業能率が高められるようにする。【解決手段】少なくとも噴射ノズル１の推進方向前端部分において、カバー６ａ，６ｂが本体４の外面に設けられ、カバー６ａ，６ｂによって本体４の外面が被覆される。カバー６ａ，６ｂはプラスチック製である。【選択図】図３
2005058969.tif 000002
【特許請求の範囲】
【請求項１】
洗浄水噴射ノズルの本体に複数の噴射孔が形成され、前記本体は金属製であり、洗浄水が前記本体内に供給され、前記噴射孔から噴射され、その噴射力によって前記噴射ノズルが推進する管内洗浄装置であって、少なくとも前記噴射ノズルの推進方向前端部分において、カバーが前記本体の外面に設けられ、前記カバーによって前記本体の外面が被覆されており、前記カバーはプラスチック製であることを特徴とする管内洗浄装置。
【請求項２】
前記噴射ノズルの推進方向中央部分において、前記本体の外面に環状みぞが形成され、前記噴射孔が前記環状みぞに開口しており、前記カバーは前記噴射ノズルの推進方向前端部分からのび、前記噴射ノズルの推進方向中央部分に達し、前記カバーが前記環状みぞに適合し、前記カバーによって前記環状みぞが被覆されており、さらに、前記カバーに複数の透孔が形成され、前記各透孔が前記各噴射孔に整合し、前記噴射孔および前記透孔が前記噴射ノズルの斜め後方に向けられており、前記洗浄水が前記噴射孔および透孔を通り、前記噴射ノズルの斜め後方に噴射されるようにしたことを特徴とする請求項１に記載の装置。
【請求項３】
前記カバーは流線形状であることを特徴とする請求項２に記載の装置。
【請求項４】
前記カバーが前側部分と後側部分に分割され、前記後側部分は胴部分からなり、２つ割りのもので、前記本体の外面にはめ合わされ、前記環状みぞに適合し、ボルトによって前記胴部分と前記本体が固定されており、前記前側部分はキャップ部分からなり、前記本体の外面にはめ合わされ、前記胴部分の前端に係合していることを特徴とする請求項３に記載の装置。
【発明の詳細な説明】
【技術分野】
【０００１】
この発明は、たとえば、下水管または配水管内を洗浄する管内洗浄装置に関するものである。
【背景技術】
【０００２】
下水管または配水管内を洗浄する管内洗浄装置として洗浄水噴射ノズルを有するものが使用されている。たとえば、特開２００３−１８４１５１号公報（特許文献１）に記載されているものがそれである。同公報の装置では、噴射ノズルの本体に複数の噴射孔が形成され、下水管または配水管内において、洗浄水が本体内に供給され、噴射孔から噴射される。したがって、その噴射力によって噴射ノズルが推進し、洗浄水によって下水管または配水管内が洗浄される。
【０００３】
この場合、洗浄液を本体内に供給するとき、その洗浄液に高い液圧をもたせる必要があり、液圧はおよそ６００ｋｇ／ｃｍ２に達する。したがって、本体が高い液圧に耐えるようにする必要があり、普通、本体は金属製であり、ステンレスまたは鉄からなる。このため、その硬度が高く、下水管または配水管内に補修部分があり、噴射ノズルが補修部分に衝突したとき、その衝撃が大きく、補修部分が損傷するという問題があった。
【０００４】
噴射ノズルの本体の摩擦係数が高く、推進するとき、その摩擦抵抗が大きく、推進速度を高めることができず、作業能率が低いという問題もある。さらに、噴射ノズルを推進させるには、噴射孔が噴射ノズルの斜め後方に向けられ、洗浄液が噴射ノズルの斜め後方に噴射されるようにする必要があるが、本体は金属製であり、その加工性が悪く、本体の外面において、直接噴射孔を形成し、これを斜め後方に向け、本体の外面に開口させることは加工技術上困難である。このため、一般に、噴射ノズルの推進方向中央部分において、本体の外面に環状みぞを形成し、その環状みぞに噴射孔を形成し、噴射孔を環状みぞに開口させているが、噴射ノズルを推進させるとき、環状みぞによってそれが阻害され、推進速度を高めることができないという問題もある。
【０００５】
したがって、この発明は、噴射ノズルの本体に複数の噴射孔が形成され、本体は金属製であり、洗浄水が本体内に供給され、噴射孔から噴射され、その噴射力によって噴射ノズルが推進する管内洗浄装置において、下水管または配水管内に補修部分があり、噴射ノズルが補修部分に衝突しても、その衝撃が小さく、補修部分が損傷しないようにすること、および噴射ノズルを推進させるとき、その推進速度が高く、作業能率が高められるようにすることを目的としてなされたものである。
【特許文献１】特開２００３−１８４１５１号公報
【発明の開示】
【０００６】
この発明によれば、少なくとも噴射ノズルの推進方向前端部分において、カバーが本体の外面に設けられ、カバーによって本体の外面が被覆される。カバーはプラスチック製である。
【０００７】
好ましい実施例では、噴射ノズルの推進方向中央部分において、本体の外面に環状みぞが形成され、噴射孔が環状みぞに開口し、カバーは噴射ノズルの推進方向前端部分からのび、噴射ノズルの推進方向中央部分に達する。そして、そのカバーが環状みぞに適合し、カバーによって環状みぞが被覆される。さらに、カバーに複数の透孔が形成され、各透孔が各噴射孔に整合し、噴射孔および透孔が噴射ノズルの斜め後方に向けられ、洗浄水が噴射孔および透孔を通り、噴射ノズルの斜め後方に噴射される。
【０００８】
カバーは流線形状である。
【０００９】
さらに、好ましい実施例では、カバーが前側部分と後側部分に分割される。後側部分は胴部分からなり、２つ割りのもので、本体の外面にはめ合わされ、環状みぞに適合する。そして、ボルトによって胴部分と本体が固定される。前側部分はキャップ部分からなり、本体の外面にはめ合わされ、胴部分の前端に係合する。
【発明を実施するための最良の形態】
【００１０】
以下、この発明の実施例を説明する。
【００１１】
図１はこの発明にかかる管内洗浄装置を示す。この装置は洗浄水噴射ノズル１を有し、噴射ノズル１はホース２およびポンプに接続されており、下水管または配水管３内に導入される。さらに、図３に示すように、噴射ノズル１の本体４に複数の噴射孔５が形成されており、洗浄水がホース２を通り、本体４内に供給され、噴射孔５から噴射される。したがって、その噴射力によって噴射ノズル１が推進し、洗浄水によって下水管または配水管内が洗浄される。本体４は金属製であり、ステンレスまたは鉄からなる。
【００１２】
さらに、この装置では、少なくとも噴射ノズル１の推進方向前端部分において、カバー６ａ，６ｂが本体４の外面に設けられ、カバー６ａ，６ｂによって本体４の外面が被覆されている。カバー６ａ，６ｂはプラスチック製であり、ＭＣナイロンまたはウレタンからなる。
【００１３】
この実施例では、噴射ノズル１の推進方向中央部分において、本体４の外面に環状みぞ７が形成され、噴射孔５が環状みぞ７に開口しており、カバー６ａ，６ｂは噴射ノズル１の推進方向前端部分からのび、噴射ノズル１の推進方向中央部分に達する。そして、カバー６ａ，６ｂが環状みぞ７に適合し、カバー６ａ，６ｂによって環状みぞ７が被覆されている。さらに、図２に示すように、カバー６ａ，６ｂに複数の透孔８が形成され、各透孔８が各噴射孔５に整合し、噴射孔５および透孔８が噴射ノズル１の斜め後方に向けられている。したがって、洗浄水が噴射孔５および透孔８を通り、噴射ノズル１の斜め後方に噴射され、その噴射力によって噴射ノズル１が推進するものである。
【００１４】
カバー６ａ，６ｂは流線形状である。
【００１５】
さらに、この実施例では、カバーが前側部分６ａと後側部分６ｂに分割されている。後側部分６ｂは胴部分からなり、２つ割りのもので、２つ割り線９を有し、本体４の外面にはめ合わされており、環状みぞ７に適合する。したがって、胴部分６ｂによって環状みぞ７が被覆されているものであり、胴部分６ｂに複数の透孔８が形成されている。さらに、各透孔８間において、胴部分６ｂに複数の挿入孔１０が形成され、これに複数のボルト１１が組み合わされており、ボルト１１が挿入孔１１に挿入され、ねじ合わされ、ボルト１１によって胴部分６ｂと本体４が固定されている。一方、前側部分６ａはキャップ部分からなり、本体４の外面にはめ合わされており、胴部分６ｂの前端にはめ合わされ、係合している。さらに、胴部分６ｂと同様、挿入孔がキャップ部分６ａに形成され、ボルトが挿入孔に挿入され、本体４にねじ合わされ、ボルトによってキャップ部分６ａと本体４が固定されている。
【００１６】
したがって、この装置の場合、下水管または配水管３内に補修部分があり、噴射ノズル１が補修部分に衝突しても、問題はない。少なくとも噴射ノズル１の推進方向前端部分において、カバー６ａ，６ｂによって本体４の外面が被覆されており、本体４ではなく、カバー６ａ，６ｂが補修部分に衝突するだけであり、本体４と異なり、カバー６ａ，６ｂはプラスチック製であり、その硬度は低い。したがって、噴射ノズル１が補修部分に衝突しても、その衝撃は小さく、補修部分は損傷しない。
【００１７】
さらに、カバー６ａ，６ｂはプラスチック製であり、その摩擦係数は低く、噴射ノズル１が推進するとき、その摩擦抵抗は小さい。カバー６ａ，６ｂによって環状みぞ７が被覆されており、噴射ノズル１が推進するとき、環状みぞ７によってそれが阻害されることもない。しかも、カバー６ａ，６ｂは流線形状である。したがって、推進速度を高めることができ、作業能率は高い。
【００１８】
以上説明したように、この発明によれば、下水管または配水管内に補修部分があり、噴射ノズルが補修部分に衝突しても、その衝撃が小さく、補修部分は損傷しない。噴射ノズルが推進するとき、その推進速度を高めることもでき、作業能率が高く、所期の目的を達成することができるものである。
【図面の簡単な説明】
【００１９】
【図１】この発明の実施例を示す説明図である。
【図２】図１の噴射ノズルの側面図である。
【図３】図２の噴射ノズルの断面図である。
【符号の説明】
【００２０】
１  噴射ノズル
４  本体
５  噴射孔
６ａ，６ｂ  カバー
７  環状みぞ
８  透孔
１１  ボルト
【図１】
2005058969.tif 000003
【図２】
2005058969.tif 000004
【図３】
2005058969.tif 000005